(57)【要約】本発明は、ユーザが、ユーザ自身のビデオ又は画像を便利に且つ正確に記録することができるようにする改善されたデジタルカメラを提供する。本発明のある実施形態では、デジタルカメラが、カメラ本体と、このカメラ本体に着脱可能に接続されたディスプレイパネルと、を有する。このディスプレイパネルは、上記カメラをワイヤレスに操作するように構成される遠隔制御回路を含み、そのため、ユーザはディスプレイパネルに見られる任意のコンテンツを記録することができる。本発明の他の実施形態では、このカメラが、更に、カメラ本体に取り付けられたモータを含み、遠隔制御回路が、このモータを制御して、所望の被写体にレンズの焦点を合わせる。この遠隔制御回路は、ブルートゥース、ジグビー、IEEE802.11規格及び赤外線のプロトコルの少なくとも一つをサポートするワイヤレス通信インタフェースを含む。本発明は、デジタルビデオカメラ及びデジタルスチルカメラの双方に適用可能である。
2006509460.tif 000002
【特許請求の範囲】
【請求項１】
カメラ本体と、
前記カメラ本体に着脱可能に接続されたディスプレイパネルと、
を有し、前記ディスプレイパネルが、デジタルカメラをワイヤレスに操作するように構成される遠隔制御回路を有する、デジタルカメラ。
【請求項２】
前記カメラ本体がレンズを有し、前記ディスプレイパネルが前記レンズによって見られるコンテンツを表示する、請求項１に記載のデジタルカメラ。
【請求項３】
前記カメラ本体に取り付けられたモータを更に有し、前記遠隔制御回路が、前記モータを制御して、前記カメラ本体のレベル及び方向を調整する、請求項１に記載のデジタルカメラ。
【請求項４】
前記カメラ本体がレンズを有し、前記遠隔制御回路が、前記モータを制御して、所望の被写体に前記レンズの焦点を合わせる、請求項３に記載のデジタルカメラ。
【請求項５】
前記遠隔制御回路が、ワイヤレス通信インタフェースを有する、請求項１に記載のデジタルカメラ。
【請求項６】
前記インタフェースが、ブルートゥース、ジグビー、IEEE802.11規格及び赤外線のプロトコルの少なくとも一つをサポートする、請求項５に記載のデジタルカメラ。
【請求項７】
前記ディスプレイパネルが、タッチスクリーンと、前記タッチスクリーン上の複数の制御ボタンと、を有し、前記制御ボタンが、前記カメラ本体を制御するように前記遠隔制御回路を動作させる、請求項１に記載のデジタルカメラ。
【請求項８】
前記カメラ本体が、ビデオコンテンツを記録するように構成される、請求項１に記載のデジタルカメラ。
【請求項９】
前記カメラ本体が、静止画像を記録するように構成される、請求項１に記載のデジタルカメラ。
【請求項１０】
レンズを備えるカメラ本体と、
前記カメラ本体に着脱可能に接続されたディスプレイパネルと、
を有し、前記ディスプレイパネルが、前記レンズによって見られるコンテンツを表示し、デジタルカメラをワイヤレスに操作するように構成される遠隔制御回路を有し、前記遠隔制御回路が、ワイヤレス通信インタフェースを有し、前記遠隔制御回路が、前記ディスプレイパネル上に見られるコンテンツを記録するように動作可能であるデジタルカメラ。
【請求項１１】
前記カメラ本体に取り付けられたモータを更に有し、前記遠隔制御回路が、前記モータを制御して、前記カメラ本体を調整し、所望の被写体に前記レンズの焦点を合わせる、請求項１０に記載のデジタルカメラ。
【請求項１２】
前記インタフェースが、ブルートゥース、ジグビー、IEEE802.11規格及び赤外線のプロトコルの少なくとも一つをサポートする、請求項１０に記載のデジタルカメラ。
【請求項１３】
前記ディスプレイパネルが、タッチスクリーンと、前記タッチスクリーン上の複数の制御ボタンと、を有し、前記制御ボタンが、前記カメラ本体を制御するように前記遠隔制御回路を動作させる、請求項１０に記載のデジタルカメラ。
【請求項１４】
前記カメラ本体が、ビデオコンテンツを記録するように構成される、請求項１０に記載のデジタルカメラ。
【請求項１５】
前記カメラ本体が、静止画像を記録するように構成される、請求項１０に記載のデジタルカメラ。
【発明の詳細な説明】
【技術分野】
【０００１】
本発明は、一般に、民生用電子機器に関し、より具体的には、デジタルカメラを動作させるために遠隔制御部として使用される着脱可能なディスプレイをもつ該デジタルカメラに関する。
【背景技術】
【０００２】
今日、デジタルカメラは、ビデオ及びスチル（still，静止）の双方とも非常に人気がある。人びとは、好みの光景及び画像を記録（record，録画）し、これらの画像を他の人たちと共用するために、デジタルカメラを上手く利用することができる。これまでのデジタルカメラは、通常、ある人物が、他の人たち又は被写体のビデオ画像又は静止画像を撮影するためにカメラを保持し操作するために、カメラマンとしての役割を果たすことを必要とする。
【発明の開示】
【発明が解決しようとする課題】
【０００３】
自分で自らのビデオ又は画像を撮りたいと思う場合、ユーザはカメラレンズの焦点を推定し、その後、このデジタルカメラの遠隔制御ユニットを用いて記録する必要があるであろう。多くの場合、このような推定は非常に大雑把であり、もたらされるビデオ又は画像における被写体が所望の位置にない。更に、満足できるビデオ又は画像を得るためには、複数の調整を必要とする。この調整をあれこれ行うことは、多大な不便さ及び煩わしさをユーザに与えるので、デジタルカメラのこの機能は、多くのユーザによりまれにしか使用されない。
【０００４】
従って、ユーザが、ユーザ自身のビデオ又は画像を便利に且つ正確に記録することができるようにする改善されたデジタルカメラの必要性がある。
【０００５】
本発明は、ユーザが、ユーザ自身のビデオ又は画像を便利に且つ正確に記録することができるようにする改善されたデジタルカメラを提供する。本発明は、デジタルビデオカメラ及びデジタルスチルカメラの双方に適用可能である。
【課題を解決するための手段】
【０００６】
本発明のある実施形態では、デジタルカメラが、カメラ本体と、このカメラ本体に着脱可能に接続されたディスプレイパネルと、を有する。このディスプレイパネルは、上記デジタルカメラをワイヤレスに操作するように構成される遠隔制御回路を含み、そのため、ユーザはディスプレイパネルに見られる任意のコンテンツを記録することができる。
【０００７】
本発明の他の実施形態において、このデジタルカメラは、更に、カメラ本体に取り付けられたモータを含み、上記遠隔制御回路が、このモータを制御して、所望の被写体にレンズの焦点を合わせる。この遠隔制御回路は、ブルートゥース（Bluetooth），ジグビー（Zigbee），IEEE802.11規格及び赤外線のプロトコルの少なくとも一つをサポートするワイヤレス通信インタフェースを含む。
【０００８】
本発明のより深い理解と共に、本発明の他の目的及び実現例は、添付の図面に関連して解釈される以下の説明及び請求項を参照することにより、明らかになり理解されるであろう。
【０００９】
本発明は、例証として、添付の図面を参照して更に詳細に説明される。
【００１０】
全図面を通して、同一の参照符号は同様の又は対応する特徴又は機能を示す。
【発明を実施するための最良の形態】
【００１１】
図１は、本発明のある実施形態によるデジタルカメラ１０を示す。このデジタルカメラ１０は、カメラ本体１２と、例えばＬＣＤパネルのような着脱可能なディスプレイパネル２０と、モータ駆動ユニット（motorized unit）２２と、を有する。ディスプレイパネル２０は、このディスプレイパネルがカメラ本体から取り外されるとき、デジタルカメラ１０の操作をワイヤレスに制御するための遠隔制御回路を有する。このディスプレイパネルがカメラ本体に取り付けられるとき、ディスプレイパネル２０は通常のディスプレイとして機能し、デジタルカメラ１０は通常の動作モードに戻る。モータ駆動ユニット２２は小型モータを含み、このモータは、ディスプレイパネル２０からワイヤレスに受け取られた制御信号に応答して、カメラレンズの焦点を被写体に合わせるためにカメラ本体の方向を変更することができる。
【００１２】
図２は、本発明のある実施形態によるディスプレイパネル２０を示す。ディスプレイパネル２０は、ＬＣＤディスプレイ２４及び複数の制御ボタン２６を備え、これらの制御ボタンは、例えば、ビデオを記録し、予め撮影されたビデオを再生するために、デジタルカメラ１０の動作を遠隔制御する。ＬＣＤディスプレイ２４がタッチスクリーンであり得るので、制御ボタン２６はディスプレイ上に実現され得る。
【００１３】
図３は、本発明のある実施形態によるディスプレイパネル２０の機能ブロック図である。図示されるように、ディスプレイパネル２０は、ワイヤレス通信インタフェース３２と、ワイヤレス通信制御ユニット３６と、マイクロ制御ユニット４２と、ＬＣＤディスプレイ及び制御ユニット４６と、メモリ５２と、を有する。このディスプレイパネルは、更に、充電可能なバッテリ５６と、カメラ本体１２に接続するためのコネクタ６２と、を有する。ワイヤレス通信インタフェース３２は、種々のプロトコル、例えば、ブルートゥース、ジグビー、IEEE802.11規格及び赤外線などをサポートすることができる。
【００１４】
ユーザが、自分自身のビデオを記録したい場合、デジタルカメラ１０を三脚に設置し、カメラ本体１２からディスプレイパネル２０を取り外すことができる。その後、ユーザはディスプレイパネル上の遠隔制御ボタンを操作して、自分自身にレンズの焦点を合わせることができる。ユーザがディスプレイに映る像を気に入るならば、ただ単にその映像を記録すればよい。ユーザは、カメラレンズのレベル及び方向を変更することによって適切な調整を行い、その後に記録することもできる。ユーザは、自分が動き回り、動き回っている間に自分自身に焦点を合わせるためにカメラレンズを制御し、全ての状況を記録することさえも可能である。代替例として、ユーザは、モニタリングシステムとしてデジタルカメラ１０を用いて、移動する被写体、例えば、子ども又はペットなどをモニタすることもできる。このように、ユーザは、別の専門の人にカメラを物理的に保持し操作してもらうことなく、ユーザ自身又は任意の被写体を正確に記録することができる。
【００１５】
上記では、ビデオカメラが、本発明のある実施形態を説明するために一実施例として用いられている。本発明の他の実施形態では、スチルデジタルカメラが、同様のやり方で着脱可能なディスプレイパネルにより遠隔制御され得る。
【００１６】
本発明は、特定の実施形態に関連して説明されているが、前述の説明を考慮に入れると、多くの代替例、変更形態及び変形例が、当業者にとって明らかであろうことは明白である。従って、このような代替例、変更形態及び変形例の全てが、付記された請求項の精神及び範囲内に入るものとして包含されることを意図されている。
【図面の簡単な説明】
【００１７】
【図１】本発明のある実施形態によるデジタルカメラを示す図である。
【図２】本発明のある実施形態によるディスプレイパネルを示す図である。
【図３】本発明のある実施形態によるディスプレイパネルの機能ブロック図である。
【図１】
2006509460.tif 000003
【図２】
2006509460.tif 000004
【図３】
2006509460.tif 000005
【国際調査報告】
2006509460.tif 000006
2006509460.tif 000007